(57)【要約】【課題】ボールベアリングが組み立てられる際にボールが脱落することを効果的に防止できるガスケット及びこのガスケットを備えた回転連接装置を提供すること。【解決手段】本発明に係る回転連接装置は、本体と、支持台と、ガスケットと、複数のボールと、を備える。複数の前記ボール及び前記ガスケットは、前記本体と前記支持台との間に装着され、前記本体は前記支持台に対して回転可能であり、前記ガスケットの厚さは前記ボールの直径より小さく、前記ガスケットは複数の収容孔を備え、前記収容孔の前記ガスケットの二つの表面における孔径は、前記ボールの直径より小さく、複数の前記ボールは、複数の前記収容孔内に装着された後に、前記ガスケットの互いに反対側に位置する二つの表面から突出し、且つ前記収容孔の中で回転することができる。【選択図】図１
2013217496.tif 000002
【特許請求の範囲】
【請求項１】
本体と、支持台と、ガスケットと、複数のボールと、を備える回転連接装置であって、複数の前記ボール及び前記ガスケットは、前記本体と前記支持台との間に装着され、前記本体は前記支持台に対して回転可能であり、前記ガスケットの厚さは前記ボールの直径より小さく、前記ガスケットは複数の収容孔を備え、前記収容孔の前記ガスケットの互いに反対側に位置する二つの表面における孔径は、前記ボールの直径より小さく、
複数の前記ボールは、複数の前記収容孔内に装着された後に、前記ガスケットの二つの表面から突出し、且つ前記収容孔の中で回転することができることを特徴とする回転連接装置。
【請求項２】
前記収容孔の内面は球面であり、前記収容孔の直径は前記ボールの直径に等しいことを特徴とする請求項１に記載の回転連接装置。
【請求項３】
前記ガスケットは、第一サブガスケット及び第二サブガスケットを備え、前記第一サブガスケットには、複数の位置決めピン及び複数の第一貫通孔が設けられ、前記第二サブガスケットには複数の位置決め孔及び複数の第二貫通孔が設けられ、
前記第一サブガスケット及び前記第二サブガスケットは、前記位置決めピンと前記位置決め孔との係合により一体にロックされ、前記第一貫通孔の位置と前記第二貫通孔の位置とは、互いに重なって前記収容孔を形成することを特徴とする請求項１に記載の回転連接装置。
【請求項４】
前記第一サブガスケットには、複数の位置決め孔がさらに設けられ、前記第二サブガスケットには、前記第一サブガスケットの複数の位置決め孔に係合される複数の位置決めピンがさらに設けられることを特徴とする請求項３に記載の回転連接装置。
【請求項５】
前記ガスケットは、弾性樹脂或いはゴムにより一体に成形されるものであることを特徴とする請求項１に記載の回転連接装置。
【請求項６】
前記本体及び前記支持台には、前記ボールのスクロールを案内するための凹溝がそれぞれ設けられていることを特徴とする請求項１に記載の回転連接装置。
【請求項７】
複数の収容孔を備えたガスケットであって、前記収容孔の前記ガスケットの互いに反対側に位置する二つの表面における孔径は、前記収容孔の内径より小さいことを特徴とするガスケット。
【請求項８】
前記ガスケットは、第一サブガスケット及び第二サブガスケットを備え、前記第一サブガスケットには複数の位置決めピン及び複数の第一貫通孔が設けられ、前記第二サブガスケットには複数の位置決め孔及び複数の第二貫通孔が設けられ、
前記第一サブガスケット及び前記第二サブガスケットは、前記位置決めピンと前記位置決め孔との係合により一体にロックされ、前記第一貫通孔の位置と前記第二貫通孔の位置とは、互いに重なって前記収容孔を形成することを特徴とする請求項７に記載のガスケット。
【請求項９】
前記第一サブガスケットには、複数の位置決め孔がさらに設けられ、前記第二サブガスケットには、前記第一サブガスケットの複数の位置決め孔に係合される複数の位置決めピンがさらに設けられることを特徴とする請求項８に記載のガスケット。
【発明の詳細な説明】
【技術分野】
【０００１】
本発明は、ガスケットに関し、特にボールねじが組み立てる時に脱落することを効果的に防止できるガスケット及びこのガスケットを備えた回転連接装置に関するものである。
【背景技術】
【０００２】
ボールベアリング式の回転連接装置は構造が簡単で、摩擦力が小さい等の利点を有するため、空気清浄機及びスタンド式の扇風機等の家電製品に用いられ、これらの家電製品が動作している際に、一定の角度回転させることができる。例えば、図１に示すように、従来のボールネジ式の回転連接装置１００は、支持台１４と、支持台１４の上面にスライド可能に連接される本体１１と、ガスケット１２と、複数のボール１３と、を備える。
【０００３】
本体１１の底面には環状凹溝１５が設けられ、ガスケット１２は、この環状凹溝１５内に収納される。ガスケット１２は、環状であり、且つその形状及びサイズは環状凹溝１５に対応している。また、図２を併せて参照すると、ガスケット１２には、複数の貫通孔１２２が設けられており、各ボール１３は、この貫通孔１２２の中にそれぞれ収納される。本体１１が支持台１４に対して回転する時、ボール１３は、環状凹溝１５内で回転する。これにより、本体１１が支持台１４に対して回転する際の抵抗力は小さくなり、スムーズに本体１１は回転することができる。
【０００４】
しかし、ボール１３は、一般的に金属製のソリッドボールであり、質量が重く、また、貫通孔１２２は円柱状の貫通孔であるため、ボールベアリングを組み立てる過程において、ボール１３が、度々貫通孔１２２の中から容易に滑り出すため、組み立てに不便である。
【発明の概要】
【発明が解決しようとする課題】
【０００５】
そこで、本発明は以上の問題点に鑑みてなされたものであり、ボールベアリングが組み立てられる際にボールが脱落することを効果的に防止できるガスケット及びこのガスケットを備えた回転連接装置を提供することを目的とする。
【課題を解決するための手段】
【０００６】
上記の課題を解決するために、本発明に係る回転連接装置は、本体と、支持台と、ガスケットと、複数のボールと、を備える。複数の前記ボール及び前記ガスケットは、前記本体と前記支持台との間に装着され、前記本体は前記支持台に対して回転可能であり、前記ガスケットの厚さは前記ボールの直径より小さく、前記ガスケットは複数の収容孔を備え、前記収容孔の前記ガスケットの二つの表面における孔径は、前記ボールの直径より小さく、複数の前記ボールは、複数の前記収容孔内に装着された後に、前記ガスケットの二つの表面から突出し、且つ前記収容孔の中で回転することができる。
【０００７】
また、上記の課題を解決するために、本発明に係るガスケットは、複数の収容孔を備え、前記収容孔の前記ガスケットの二つの表面における孔径は、前記収容孔の内径より小さい。
【発明の効果】
【０００８】
従来の技術とは異なり、本発明の回転連接装置は、複数の第一貫通孔が設けられた第一サブガスケットと、複数の第二貫通孔が設けられた第二サブガスケットを備える。前記第一貫通孔及び前記第二貫通孔は、ボールを収納するための収容孔を形成し、前記収容孔のガスケットの二つの表面における孔径はボールの直径より小さいため、前記回転連接装置を組み立てる際に、ボールが前記収容孔の中から脱出することはない。これにより、組み立てに便利である。
【図面の簡単な説明】
【０００９】
【図１】従来の技術に係る回転連接装置の分解図である。
【図２】図１に示した回転連接装置のガスケットの断面図である。
【図３】本発明の実施形態に係る回転連接装置の分解図である。
【図４】図３に示した回転連接装置の組立図である。
【図５】図３に示した回転連接装置の中のガスケットの構造を示す図である。
【図６】図３に示した回転連接装置の中のガスケットの断面図である。
【発明を実施するための形態】
【００１０】
図３に示すように、本発明の実施形態に係る回転連接装置３００は、本体３１と、支持台３２と、環状のガスケット３３と、複数のボールネジ３４と、を備える。本体３１及び支持台３２を、１つの第一部品（図示せず）と１つの第二部品（図示せず）とにそれぞれ接続することにより、前記第一部品を前記第二部品に回転可能に接続させる。本実施形態において、前記第一部品はスタンド式イオンファンのファン部であり、前記第二部品はスタンド式イオンファンの台座である。本体３１は、前記ファン部と互いに接続され、支持台３２は前記台座と互いに接続される。これにより、前記スタンド式イオンファンのファン部は、回転連接装置３００を介して、前記台座上で回転することができる。本実施形態において、前記ボール３４は、球形のボールであるが、他の実施形態において、前記ボール３４は、円筒状或いは円錐状等であることも可能である。ガスケット３３の上面には、複数のボール３４をそれぞれ収納するための収容孔３５が形成されている。
【００１１】
図４を併せて参照すると、本体３１の形状は、ガスケット３３の形状と同じである。本体３１の一側の表面には、円周方向に沿って延在する環状凹溝３１１が設けられており、この環状凹溝３１１の底面には、本体３１の円周方向に沿って延伸し、且つ本体３１の内部へ窪んだ凹溝３１３がさらに設けられている。凹溝３１３の横断面は円弧状を呈する。凹溝３１３は、ボールネジ３４の回転を案内するために用いられる。支持台３２も環状を呈し、その一側の表面には円周方向に沿って延在する凹溝３２１が設けられている。凹溝３２１の横断面は円弧状であり、ボール３４の回転を案内するために用いられる。本体３１は、支持台３２の上方に設置される。環状凹溝３１１、凹溝３１３、凹溝３２１は、共同でガスケット３３及び複数の前記ボール３４を収納するための空洞部を形成する。
【００１２】
ガスケット３３は、環状であり、且つその厚さはボール３４の直径より小さい。ボール３４は、収容孔３５内に収納され、且つガスケット３３の両表面から突出する。ボール３４のガスケット３３の表面から突出する部分は、凹溝３１３及び凹溝３２１内にそれぞれ収納される。本体３１が支持台３２に対して回転する際、ボール３４は凹溝３１３及び凹溝３２１内で回転する。
【００１３】
図５及び図６を併せて参照すると、本実施形態において、ガスケット３３は、第一サブガスケット３３１１及び第二サブガスケット３３１２を備える。ガスケット３３の厚さはボール３４の直径より小さいため、第一サブガスケット３３１１と第二サブガスケット３３１２の厚さは、それぞれボール３４の直径の半分より小さい。また、第一サブガスケット３３１１は、互いに対向して配置されている第一表面３３１及び第二表面（図示せず）と、円周方向に沿って均一に配列している複数の第一貫通孔３３０と、を備える。第一貫通孔３３０の内表面は球面であり、該第一貫通孔３３０が第一サブガスケット３３１１の第一表面３３１と交わることで形成された円孔の直径（即ち、第一貫通孔３３０の第一表面３３１における開口の直径）は、ボール３４の直径に等しい。第一サブガスケット３３１１の厚さは、ボール３４の直径の半分より小さいため、第一貫通孔３３０が前記第二表面と交わることで形成された円の直径は、ボール３４の直径より小さい。第一サブガスケット３３１１は、さらに複数の第一位置決めピン３３０１及び複数の第一位置決め孔３３０２を備える。
【００１４】
第二サブガスケット３３１２は、第一サブガスケット３３１１の構造と同じであり、且つ互いに対向して配置されている第三表面３３３及び第四表面（図示せず）と、円周方向に沿って均一に配列されている複数の第二貫通孔３３５と、を備える。第二貫通孔３３５の内表面は球面であり、第二貫通孔３３５が第二サブガスケット３３１２の第三表面３３３と交わることで形成した円孔の直径（即ち、第二貫通孔３３５の第三表面３３３における開口の直径）は、ボール３４の直径に等しい。第二サブガスケット３３１２の厚さは、ボールネジ３４の直径の半分より小さいため、第二貫通孔３３５が第四表面と交わることで形成された円の直径は、ボール３４の直径より小さい。第二サブガスケット３３１２は、複数の第二位置決めピン３３５１及び複数の第二位置決め孔３３５２をさらに備える。第二位置決めピン３３５１の数は、第一位置決め孔３３０２の数に等しく、第二位置決め孔３３５２の数は、第一位置決めピン３３０１の数に等しい。
【００１５】
本実施形態において、第一サブガスケット３３１１は、八つの第一位置決めピン３３０１と、八つの第一位置決め孔３３０２と、十六の第一貫通孔３３０と、を備え、これらの位置決めピン及び位置決め孔は、第一位置決めピン３３０１、第一貫通孔３３０、第一位置決め孔３３０２、第一貫通孔３３０という順序に、１１．２５°の間隔で、第一サブガスケット３３１１に均一に配列されている。第一位置決めピン３３０１の外径は、第一位置決め孔３３０２の内径に等しい。
【００１６】
図５に示す第二サブガスケット３３１２の第二貫通孔３３５内には、ボール３４が設置されている。本実施形態において、第二サブガスケット３３１２上の位置決めピン及び位置決め孔の数及び配列順序等は、第一サブガスケット３３１１と同じであるので、詳しい説明は省略する。
【００１７】
第一位置決めピン３３０１を第二位置決め孔３３５２内に収納すると共に、第二位置決めピン３３５１を第一位置決め孔３３０２内に収納することにより、第一サブガスケット３３１１と第二サブガスケット３３１２とを互いに係合して位置決めする。第一サブガスケット３３１１と第二サブガスケット３３１２とを一体に装着した際、第一貫通孔３３０と第二貫通孔３３５との位置は互いに合わさり、ボール３４を収納するための複数の収容孔３５が形成される。
【００１８】
ガスケット３３を組み立てる場合、先ずボールネジ３４を第一サブガスケット３３１１の第一貫通孔３３０内にセットする。次に、第二サブガスケット３３１２を、一定の角度回転させて、第一サブガスケット３３１１の第一位置決めピン３３０１と第二サブガスケット３３１２の第二位置決め孔３３５２との位置を合せる。この際、第一サブガスケット３３１１の第一貫通孔３３０の位置と第二サブガスケット３３１２の第二貫通孔３３５の位置も合わさる。最後に、第一サブガスケット３３１１及び第二サブガスケット３３１２を、第一位置決めピン３３０１と第二位置決め孔３３５２との係合を介して互いに向き合わせて位置決めすることで、ボール３４は収容孔３５の内部で制限されるので、脱落することはない。これにより、組み立てに便利であり、生産効率を高めることができる。
【００１９】
また、他の実施形態において、第一位置決めピン３３０１、第一位置決め孔３３０２、第二位置決めピン３３５１、第二位置決め孔３３５２の数は、二つ、四つ或いは六つ等であっても良い。
【００２０】
また、他の実施形態において、第一サブガスケット３３１１と第二サブガスケット３３１２との構造は、完全に同じでなくても良い。例えば、第一サブガスケット３３１１は、第一位置決めピン３３０１及び複数の第一貫通孔３３０のみを備える。これと同時に、第二サブガスケット３３１２は、第二位置決め孔３３５２及び第二貫通孔３３５のみを備える。第一位置決めピン３３０１を第二位置決め孔３３５２内に係合することにより、第一サブガスケット３３１１と第二サブガスケット３３１２とを互いに向き合わせてロックさせて、ガスケット３３を形成する。この際、第一貫通孔３３０と第二貫通孔３３５との位置は重なり合い、複数の収容孔３５を形成する。
【００２１】
また、他の実施形態において、ガスケット３３は、第一サブガスケット３３１１と第二サブガスケット３３１２とが係合することで形成されるものではなく、一体に成形されてなる構造であっても良い。さらに、ガスケット３３は弾性樹脂或いはゴム材料からなり、前記第一実施形態と類似するように、ボール３４を収納するための収容孔の内表面は球面であり、前記収容孔のガスケット３３の二つの表面における開口の直径（孔径）は、それぞれボール３４の直径より小さい。弾性樹脂或いはゴム材料の弾性変形によって、前記収容孔のガスケット３３の表面における開口部位から、ボール３４を強く前記収容孔の内部に押し込むことができる。
【００２２】
また、他の実施形態において、環状凹溝３１１及び凹溝３１３を本体３１の上面に設けて、これに対応して、凹溝３２１を支持台３２の底面に設けても良い。
【００２３】
以上、本発明の好適な実施形態について詳細に説明したが、本発明は前記実施形態に限定されるものではなく、本発明の範囲内で種々の変形又は修正が可能であり、該変形又は修正も本発明の特許請求の範囲内に含まれるものであることは言うまでもない。
【符号の説明】
【００２４】
１１、３１    本体
１２、３３    ガスケット
１３、３４    ボール
１４、３２    支持台
１５、３１１  環状凹溝
３５          収容孔
１００        回転連接装置
１２２        貫通孔
３００        回転連接装置
３１３、３２１    凹溝
３３０        第一貫通孔
３３１        第一表面
３３３        第三表面
３３５        第二貫通孔
３３０１      第一位置決めピン
３３０２      第一位置決め孔
３３１１      第一サブガスケット
３３１２      第二サブガスケット
３３５１      第二位置決めピン
３３５２      第二位置決め孔
【図１】
2013217496.tif 000003
【図２】
2013217496.tif 000004
【図３】
2013217496.tif 000005
【図４】
2013217496.tif 000006
【図５】
2013217496.tif 000007
【図６】
2013217496.tif 000008